(57)【要約】【課題】盗難をより効果的に防ぐとともに使い勝手のよい自転車管理システムを提供する。【解決手段】自転車が監視状態か否かを記憶する記憶手段（監視状態データファイル９Ａ）と、ＣＰＵ７に、人の出入口に設けられた出入口読取手段（出入口ＲＦＩＤリーダ５）により、人が所持するＲＦＩＤカードから識別情報が読み取られた場合に、当該自転車の監視状態と非監視状態とを切り換えて記憶手段を更新させる監視状態更新プログラム９Ｅと、出口に設けられた出口読取手段（出口ＲＦＩＤリーダ３）により、自転車に取り付けられたＲＦＩＤタグから読み取られた識別情報に基づいて記憶手段を参照して、当該自転車が監視状態であるか否かを判断させる確認プログラム９Ｆと、監視状態であると判断した場合に出口ゲート４Ａを閉鎖状態とさせ、非監視状態であると判断した場合に出口ゲート４Ａを開放状態とさせる出口ゲート制御プログラム９Ｇと、を備えた。【選択図】図２
2008033508.tif 000002
【特許請求の範囲】
【請求項１】
自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及び前記カード識別情報によって識別される自転車が監視状態か非監視状態かの情報と、を対応付けて記憶する記憶手段と、
前記駐輪場の前記出口に設けられ、前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
前記確認手段により、当該タグ識別情報により識別される自転車が監視状態であると判断された場合に、所定の警報を行う警報手段と、
前記駐輪場の前記入口に設けられ前記ＲＦＩＤタグから前記タグ識別情報を読み取る入口読取手段と、
前記入口読取手段に読み取られた前記タグ識別情報と一致するタグ識別情報が前記記憶手段により記憶されているか否かを判断する入口照合手段と、
前記入口に設けられた入口ゲートを開閉する入口ゲート開閉装置と、
前記入口照合手段により、前記入口読取手段に読み取られた前記タグ識別情報と一致するタグ識別情報が前記記憶手段により記憶されていると判断された場合に、前記入口ゲート開閉装置を制御して、前記入口ゲートを開放状態とし、前記入口読取手段に読み取られた前記タグ識別情報と一致するタグ識別情報が前記記憶手段により記憶されていないと判断された場合に、前記入口ゲート開閉装置を制御して、前記入口ゲートを閉鎖状態とする入口ゲート制御手段と、
を備えることを特徴とする自転車管理システム。
【請求項２】
自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及びカード識別情報によって識別される自転車が監視状態か非監視状態かの情報と、を対応付けて記憶する記憶手段と、
前記駐輪場の前記出口に設けられ前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
を備えることを特徴とする自転車管理システム。
【請求項３】
自転車の入口と出口と、人の出入口と、を備える駐輪場に駐輪する前記自転車を管理する自転車管理システムにおいて、
自転車を識別するためのタグ識別情報を記憶するとともに前記自転車に取り付けられたＲＦＩＤタグと、
前記タグ識別情報と、当該タグ識別情報によって識別される自転車が監視状態か非監視状態かの情報と、を対応付けて記憶する記憶手段と、
前記自転車の前記タグ識別情報と、前記人の生体情報と、を対応付けて記憶する生体情報記憶手段と、
前記駐輪場の前記出口に設けられ前記ＲＦＩＤタグから前記タグ識別情報を読み取る出口読取手段と、
前記人の出入口に設けられて前記人の前記生体情報を取得する生体情報取得手段と、
前記生体情報取得手段により前記生体情報が取得された場合に、当該生体情報と対応する前記タグ識別情報を前記生体情報記憶手段から抽出し、抽出した前記タグ識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
を備えることを特徴とする自転車管理システム。
【請求項４】
自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及びカード識別情報によって識別される自転車が監視状態か非監視状態かの情報と、を対応付けて記憶する記憶手段と、
前記駐輪場の前記出口に設けられ前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が監視状態であると判断された場合に、所定の警報を行う警報手段と、
を備えることを特徴とする自転車管理システム。
【請求項５】
自転車の入口と出口と、人の出入口と、を備える駐輪場に駐輪する前記自転車を管理する自転車管理システムにおいて、
自転車を識別するためのタグ識別情報を記憶するとともに前記自転車に取り付けられたＲＦＩＤタグと、
前記タグ識別情報と、当該タグ識別情報によって識別される自転車が監視状態か非監視状態かの情報と、を対応付けて記憶する記憶手段と、
前記自転車の前記タグ識別情報と、前記人の生体情報と、を対応付けて記憶する生体情報記憶手段と、
前記駐輪場の前記出口に設けられ前記ＲＦＩＤタグから前記タグ識別情報を読み取る出口読取手段と、
前記人の出入口に設けられて前記人の前記生体情報を取得する生体情報取得手段と、
前記生体情報取得手段により前記生体情報が取得された場合に、当該生体情報と対応する前記タグ識別情報を前記生体情報記憶手段から抽出し、抽出した前記タグ識別情報によって識別される前記自転車の監視状態と非監視状態とを切り換えて前記記憶手段を更新する監視状態更新手段と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が監視状態であると判断された場合に、所定の警報を行う警報手段と、
を備えることを特徴とする自転車管理システム。
【請求項６】
前記駐輪場の前記入口に設けられ前記ＲＦＩＤタグから前記タグ識別情報を読み取る入口読取手段と、
前記入口読取手段に読み取られた前記タグ識別情報と一致するタグ識別情報が前記記憶手段により記憶されているか否かを判断する入口照合手段と、
前記入口に設けられた入口ゲートを開閉する入口ゲート開閉装置と、
前記入口照合手段により、前記入口読取手段に読み取られた前記タグ識別情報と一致するタグ識別情報が前記記憶手段により記憶されていると判断された場合に、前記入口ゲート開閉装置を制御して、前記入口ゲートを開放状態とし、前記入口読取手段に読み取られた前記タグ識別情報と一致するタグ識別情報が前記記憶手段により記憶されていないと判断された場合に、前記入口ゲート開閉装置を制御して、前記入口ゲートを閉鎖状態とする入口ゲート制御手段と、
を備えることを特徴とする請求項２〜５の何れか一項に記載の自転車管理システム。
【発明の詳細な説明】
【技術分野】
【０００１】
本発明は、自転車管理システムに関する。
【背景技術】
【０００２】
従来、自転車にＲＦＩＤタグを貼付して駐輪場の出入口において当該ＲＦＩＤタグの情報を読み取ることにより、駐輪自転車を管理する自転車管理システムが知られている（例えば、特許文献１−３）。具体的には、例えば、ＲＦＩＤタグに記憶された使用期限情報を読み取り、使用期限が超過した自転車が出入口を通過しようとした場合に警報を行うものが知られている（例えば、特許文献１）。また、ＲＦＩＤタグに当該駐輪場に登録されているか否かの情報を記憶し、登録していない自転車の入場を防ぐものも知られている（例えば、特許文献２）。また、ＲＦＩＤタグに自転車の識別情報を記憶し、出入口において入場時及び出場時を監視することにより、自転車の駐輪時間などを管理するものも知られている（例えば、特許文献３）。
【特許文献１】特開２００３−１７３４６１号公報
【特許文献２】特開２００３−３０６１８６号公報
【特許文献３】特開２００６−００１７０８号公報
【発明の開示】
【発明が解決しようとする課題】
【０００３】
しかしながら、特許文献１−３の自転車管理システムでは、正規のＲＦＩＤタグが付いた自転車であれば、所有者以外の者であっても当該駐輪場から容易に出すことができるので、自転車の盗難を防ぐことはできない。
一方、自転車が駐輪場内に入場したら、ＲＦＩＤタグの情報のみでは駐輪場から自転車を出さないようにすることも可能であるが、その場合に、駐輪場から自転車を出すため、例えば、別途、キーなどの認証手段によりゲートの開閉を制御することとなる。しかしながら、万が一キーを忘れた場合には、駐輪場から自転車を出すことができなくなることもあり、不便である。
【０００４】
本発明の課題は、盗難をより効果的に防ぐとともに使い勝手のよい自転車管理システムを提供することである。
【課題を解決するための手段】
【０００５】
請求項１に記載の発明は、自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及び前記カード識別情報によって識別される自転車が監視状態か非監視状態かの情報と、を対応付けて記憶する記憶手段と、
前記駐輪場の前記出口に設けられ、前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
前記確認手段により、当該タグ識別情報により識別される自転車が監視状態であると判断された場合に、所定の警報を行う警報手段と、
前記駐輪場の前記入口に設けられ前記ＲＦＩＤタグから前記タグ識別情報を読み取る入口読取手段と、
前記入口読取手段に読み取られた前記タグ識別情報と一致するタグ識別情報が前記記憶手段により記憶されているか否かを判断する入口照合手段と、
前記入口に設けられた入口ゲートを開閉する入口ゲート開閉装置と、
前記入口照合手段により、前記入口読取手段に読み取られた前記タグ識別情報と一致するタグ識別情報が前記記憶手段により記憶されていると判断された場合に、前記入口ゲート開閉装置を制御して、前記入口ゲートを開放状態とし、前記入口読取手段に読み取られた前記タグ識別情報と一致するタグ識別情報が前記記憶手段により記憶されていないと判断された場合に、前記入口ゲート開閉装置を制御して、前記入口ゲートを閉鎖状態とする入口ゲート制御手段と、
を備えることを特徴としている。
【０００６】
請求項２に記載の発明は、自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及びカード識別情報によって識別される自転車が監視状態か非監視状態かの情報と、を対応付けて記憶する記憶手段と、
前記駐輪場の前記出口に設けられ前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
を備えることを特徴としている。
【０００７】
請求項３に記載の発明は、自転車の入口と出口と、人の出入口と、を備える駐輪場に駐輪する前記自転車を管理する自転車管理システムにおいて、
自転車を識別するためのタグ識別情報を記憶するとともに前記自転車に取り付けられたＲＦＩＤタグと、
前記タグ識別情報と、当該タグ識別情報によって識別される自転車が監視状態か非監視状態かの情報と、を対応付けて記憶する記憶手段と、
前記自転車の前記タグ識別情報と、前記人の生体情報と、を対応付けて記憶する生体情報記憶手段と、
前記駐輪場の前記出口に設けられ前記ＲＦＩＤタグから前記タグ識別情報を読み取る出口読取手段と、
前記人の出入口に設けられて前記人の前記生体情報を取得する生体情報取得手段と、
前記生体情報取得手段により前記生体情報が取得された場合に、当該生体情報と対応する前記タグ識別情報を前記生体情報記憶手段から抽出し、抽出した前記タグ識別情報によって識別される前記自転車の監視状態と非監視状態とを切り換えて前記記憶手段を更新する監視状態更新手段と、
前記出口に設けられた出口ゲートを開閉する出口ゲート開閉装置と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が、監視状態であると判断された場合に、前記出口ゲート開閉装置を制御して、前記出口ゲートを閉鎖状態とし、非監視状態であると判断された場合に、前記出口ゲート開閉装置を制御して、前記出口ゲートを開放状態とする出口ゲート制御手段と、
を備えることを特徴としている。
【０００８】
請求項４に記載の発明は、自転車の入口と出口と、人の出入口と、を備える駐輪場に駐輪する自転車を管理する自転車管理システムにおいて、
自転車を識別するためのタグ識別情報を記憶するとともに前記自転車に取り付けられたＲＦＩＤタグと、
前記ＲＦＩＤタグのタグ識別情報に対応するカード識別情報を記憶するとともに前記人に所持されるＲＦＩＤカードと、
前記タグ識別情報及び前記カード識別情報と、当該タグ識別情報及びカード識別情報によって識別される自転車が監視状態か非監視状態かの情報と、を対応付けて記憶する記憶手段と、
前記駐輪場の前記出口に設けられ前記ＲＦＩＤタグから前記タグ識別情報を読み取る出口読取手段と、
前記人の出入口に設けられて前記人が所持する前記ＲＦＩＤカードから前記カード識別情報を読み取る出入口読取手段と、
前記出入口読取手段により前記ＲＦＩＤカードから前記カード識別情報が読み取られた場合に、当該カード識別情報によって識別される前記自転車の監視状態と非監視状態とを切り換えて前記記憶手段を更新する監視状態更新手段と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が監視状態であると判断された場合に、所定の警報を行う警報手段と、
を備えることを特徴としている。
【０００９】
請求項５に記載の発明は、自転車の入口と出口と、人の出入口と、を備える駐輪場に駐輪する前記自転車を管理する自転車管理システムにおいて、
自転車を識別するためのタグ識別情報を記憶するとともに前記自転車に取り付けられたＲＦＩＤタグと、
前記タグ識別情報と、当該タグ識別情報によって識別される自転車が監視状態か非監視状態かの情報と、を対応付けて記憶する記憶手段と、
前記自転車の前記タグ識別情報と、前記人の生体情報と、を対応付けて記憶する生体情報記憶手段と、
前記駐輪場の前記出口に設けられ前記ＲＦＩＤタグから前記タグ識別情報を読み取る出口読取手段と、
前記人の出入口に設けられて前記人の前記生体情報を取得する生体情報取得手段と、
前記生体情報取得手段により前記生体情報が取得された場合に、当該生体情報と対応する前記タグ識別情報を前記生体情報記憶手段から抽出し、抽出した前記タグ識別情報によって識別される前記自転車の監視状態と非監視状態とを切り換えて前記記憶手段を更新する監視状態更新手段と、
前記出口読取手段に読み取られた前記タグ識別情報に基づいて、前記記憶手段を参照して、当該タグ識別情報により識別される自転車が監視状態であるか否かを判断する確認手段と、
前記確認手段により、当該タグ識別情報により識別される自転車が監視状態であると判断された場合に、所定の警報を行う警報手段と、
を備えることを特徴としている。
【００１０】
請求項６に記載の発明は、請求項２〜５の何れか一項に記載の自転車管理システムにおいて、
前記駐輪場の前記入口に設けられ前記ＲＦＩＤタグから前記タグ識別情報を読み取る入口読取手段と、
前記入口読取手段に読み取られた前記タグ識別情報と一致するタグ識別情報が前記記憶手段により記憶されているか否かを判断する入口照合手段と、
前記入口に設けられた入口ゲートを開閉する入口ゲート開閉装置と、
前記入口照合手段により、前記入口読取手段に読み取られた前記タグ識別情報と一致するタグ識別情報が前記記憶手段により記憶されていると判断された場合に、前記入口ゲート開閉装置を制御して、前記入口ゲートを開放状態とし、前記入口読取手段に読み取られた前記タグ識別情報と一致するタグ識別情報が前記記憶手段により記憶されていないと判断された場合に、前記入口ゲート開閉装置を制御して、前記入口ゲートを閉鎖状態とする入口ゲート制御手段と、
を備えることを特徴としている。
【発明の効果】
【００１１】
請求項１に記載の発明によれば、自転車に取り付けられたＲＦＩＤタグにより、自転車を識別するためのタグ識別情報が記憶され、人に所持されるＲＦＩＤカードにより、ＲＦＩＤタグのタグ識別情報に対応するカード識別情報が記憶され、記憶手段により、タグ識別情報及びカード識別情報と、このタグ識別情報及びカード識別情報によって識別される自転車が監視状態か非監視状態かの情報とが記憶され、駐輪場の出口に設けられる出口読取手段により、ＲＦＩＤタグからタグ識別情報が読み取られ、人の出入口に設けられる出入口読取手段により、人が所持するＲＦＩＤカードからカード識別情報が読み取られ、監視状態更新手段により、出入口読取手段によってＲＦＩＤカードからカード識別情報が読み取られた場合に、当該カード識別情報によって識別される自転車の監視状態と非監視状態とが切り換えられて記憶手段が更新され、出口ゲート開閉装置により、出口に設けられた出口ゲートが開閉され、確認手段により、出口読取手段に読み取られたタグ識別情報に基づいて、記憶手段が参照されて、当該タグ識別情報により識別される自転車が監視状態であるか否かが判断され、出口ゲート制御手段により、確認手段によって当該タグ識別情報により識別される自転車が、監視状態であると判断された場合に、出口ゲート開閉装置が制御されて、出口ゲートが閉鎖状態とされ、非監視状態であると判断された場合に、出口ゲート開閉装置が制御されて、出口ゲートが開放状態とされるので、出入口読取手段によりＲＦＩＤカードからカード識別情報が読み取られて、当該カード識別情報によって識別される自転車が監視状態となった場合には、当該ＲＦＩＤカードを所持する者以外の者は当該自転車を駐輪場から出すことができなくなることとなって、自転車の盗難をより効果的に防ぐことができる。
また、出入口読取手段によりＲＦＩＤカードからカード識別情報が読み取られなかった場合には、当該カード識別情報によって識別される自転車が監視状態とはされないので、例えば、万が一、利用者がＲＦＩＤカードを忘れてしまった場合でも、当該自転車を駐輪場に出し入れすることができ、使い勝手が良い。
また、例えば、悪戯により自転車からＲＦＩＤタグが剥がされてしまった場合でも、ＲＦＩＤカードを提示することにより、当該駐輪場に当該自転車を駐輪することができる。
【００１２】
また、警報手段により、確認手段によってタグ識別情報により識別される自転車が監視状態である場合に、所定の警報が行われるので、出入口読取手段によりＲＦＩＤカードからカード識別情報が読み取られて、当該カード識別情報によって識別される自転車が監視状態となった場合には、当該ＲＦＩＤカードを所持する者以外の者が当該自転車を駐輪場から出そうとすると警報が行われて、例えば、監視員が気づいて当該自転車を駐輪場から出すことを阻止することがができることとなって、自転車の盗難をより効果的に防ぐことができる。
【００１３】
また、駐輪場の入口に設けられる入口読取手段により、ＲＦＩＤタグからタグ識別情報が読み取られ、入口照合手段により、入口読取手段に読み取られたタグ識別情報と一致するタグ識別情報が記憶手段により記憶されているか否かが判断され、入口ゲート開閉装置により、入口に設けられた入口ゲートが開閉され、入口ゲート制御手段により、入口照合手段により、入口読取手段に読み取られたタグ識別情報と一致するタグ識別情報が記憶手段によって記憶されていると判断された場合に、入口ゲート開閉装置が制御されて、入口ゲートが開放状態とされ、入口読取手段に読み取られたタグ識別情報と一致するタグ識別情報が記憶手段によって記憶されていないと判断された場合に、入口ゲート開閉装置が制御されて、入口ゲートが閉鎖状態とされるので、当該駐輪場に契約しておらずＲＦＩＤタグを自転車に貼り付けていない者が当該自転車を駐輪場に入れるのを防ぐことができる。
【００１４】
請求項２に記載の発明によれば、自転車に取り付けられたＲＦＩＤタグにより、自転車を識別するためのタグ識別情報が記憶され、人に所持されるＲＦＩＤカードにより、ＲＦＩＤタグのタグ識別情報に対応するカード識別情報が記憶され、記憶手段により、タグ識別情報及びカード識別情報と、タグ識別情報及びカード識別情報によって識別される自転車が監視状態か非監視状態かの情報と、が記憶され、駐輪場の出口に設けられる出口読取手段により、ＲＦＩＤタグからタグ識別情報が読み取られ、人の出入口に設けられる出入口読取手段により、人が所持するＲＦＩＤカードからカード識別情報が読み取られ、監視状態更新手段により、出入口読取手段によってＲＦＩＤカードからカード識別情報が読み取られた場合に、当該カード識別情報によって識別される自転車の監視状態と非監視状態とが切り換えられて記憶手段が更新され、出口ゲート開閉装置により、出口に設けられた出口ゲートが開閉され、確認手段により、出口読取手段に読み取られたタグ識別情報に基づいて、記憶手段が参照されて、当該タグ識別情報により識別される自転車が監視状態であるか否かが判断され、出口ゲート制御手段により、確認手段によって当該タグ識別情報により識別される自転車が、監視状態であると判断された場合に、出口ゲート開閉装置が制御されて、出口ゲートが閉鎖状態とされ、非監視状態であると判断された場合に、出口ゲート開閉装置が制御されて、出口ゲートが開放状態とされるので、出入口読取手段によりＲＦＩＤカードからカード識別情報が読み取られて、当該カード識別情報によって識別される自転車が監視状態となった場合には、当該ＲＦＩＤカードを所持する者以外の者は当該自転車を駐輪場から出すことができなくなることとなって、自転車の盗難をより効果的に防ぐことができる。
また、出入口読取手段によりＲＦＩＤカードからカード識別情報が読み取られなかった場合には、当該カード識別情報によって識別される自転車が監視状態とはされないので、例えば、万が一、利用者がＲＦＩＤカードを忘れてしまった場合でも、当該自転車を駐輪場に出し入れすることができ、使い勝手が良い。
また、例えば、悪戯により自転車からＲＦＩＤタグが剥がされてしまった場合でも、ＲＦＩＤカードを提示することにより、当該駐輪場に当該自転車を駐輪することができる。
【００１５】
請求項３に記載の発明によれば、自転車に取り付けられたＲＦＩＤタグにより、自転車を識別するためのタグ識別情報が記憶され、記憶手段により、タグ識別情報と、当該タグ識別情報によって識別される自転車が監視状態か非監視状態かの情報とが記憶され、生体情報記憶手段により、自転車のタグ識別情報と人の生体情報とが対応付けられて記憶され、駐輪場の出口に設けられる出口読取手段により、ＲＦＩＤタグからタグ識別情報が読み取られ、人の出入口に設けられる生体情報取得手段により、人の生体情報が取得され、監視状態更新手段により、生体情報取得手段によって生体情報が取得された場合に、当該生体情報と対応するタグ識別情報が生体情報記憶手段から抽出され、抽出したタグ識別情報によって識別される自転車の監視状態と非監視状態とが切り換えられて記憶手段が更新され、出口ゲート開閉装置により、出口に設けられた出口ゲートが開閉され、確認手段により、出口読取手段に読み取られたタグ識別情報に基づいて、記憶手段が参照されて、当該タグ識別情報により識別される自転車が監視状態であるか否かが判断され、出口ゲート制御手段により、確認手段によって当該タグ識別情報により識別される自転車が、監視状態であると判断された場合に、出口ゲート開閉装置が制御されて、出口ゲートが閉鎖状態とされ、非監視状態であると判断された場合に、出口ゲート開閉装置が制御されて、出口ゲートが開放状態とされるので、生体情報取得手段により人の生態情報が取得されて、当該生体情報に対応するタグ識別情報によって識別される自転車が監視状態となった場合には、当該人以外の者は当該自転車を駐輪場から出すことができなくなることとなって、自転車の盗難をより効果的に防ぐことができる。
また、生体情報取得手段により生体情報が取得されることにより、当該生体情報に対応するタグ識別情報によって識別される自転車の監視状態と非監視状態とが切り換えられるので、例えば、キー等を用いずとも当該自転車の駐輪場への出し入れを制御することができ、使い勝手が良い。
【００１６】
請求項４に記載の発明によれば、自転車に取り付けられたＲＦＩＤタグにより、自転車を識別するためのタグ識別情報が記憶され、人に所持されるＲＦＩＤカードにより、ＲＦＩＤタグのタグ識別情報に対応するカード識別情報が記憶され、記憶手段により、タグ識別情報及びカード識別情報と、タグ識別情報及びカード識別情報によって識別される自転車が監視状態か非監視状態かの情報と、が記憶され、駐輪場の出口に設けられる出口読取手段により、ＲＦＩＤタグからタグ識別情報が読み取られ、人の出入口に設けられる出入口読取手段により、人が所持するＲＦＩＤカードからカード識別情報が読み取られ、監視状態更新手段により、出入口読取手段によってＲＦＩＤカードからカード識別情報が読み取られた場合に、当該カード識別情報によって識別される自転車の監視状態と非監視状態とが切り換えられて記憶手段が更新され、確認手段により、出口読取手段に読み取られたタグ識別情報に基づいて、記憶手段が参照されて、当該タグ識別情報により識別される自転車が監視状態であるか否かが判断され、警報手段により、確認手段によって当該タグ識別情報により識別される自転車が監視状態であると判断された場合に、所定の警報が行われるので、出入口読取手段によりＲＦＩＤカードからカード識別情報が読み取られて、当該カード識別情報によって識別される自転車が監視状態となった場合には、当該ＲＦＩＤカードを所持する者以外の者が当該自転車を駐輪場から出そうとすると警報が行われて、例えば、監視員が気づいて当該自転車を駐輪場から出すことを阻止することができることとなって、自転車の盗難をより効果的に防ぐことができる。
また、出入口読取手段によりＲＦＩＤカードからカード識別情報が読み取られなかった場合には、当該カード識別情報によって識別される自転車が監視状態とはされないので、例えば、万が一、利用者がＲＦＩＤカードを忘れてしまった場合でも、当該自転車を駐輪場に出し入れすることができ、使い勝手が良い。
また、例えば、悪戯により自転車からＲＦＩＤタグが剥がされてしまった場合でも、ＲＦＩＤカードを提示することにより、当該駐輪場に当該自転車を駐輪することができる。
【００１７】
請求項５に記載の発明によれば、自転車に取り付けられるＲＦＩＤタグにより、自転車を識別するためのタグ識別情報が記憶され、記憶手段により、タグ識別情報と、当該タグ識別情報によって識別される自転車が監視状態か非監視状態かの情報とが記憶され、生体情報記憶手段により、自転車のタグ識別情報と人の生体情報とが対応付けられて記憶され、駐輪場の出口に設けられる出口読取手段により、ＲＦＩＤタグからタグ識別情報が読み取られ、人の出入口に設けられる生体情報取得手段により、人の生体情報が取得され、監視状態更新手段により、生体情報取得手段によって生体情報が取得された場合に、当該生体情報と対応するタグ識別情報が生体情報記憶手段から抽出され、抽出したタグ識別情報によって識別される自転車の監視状態と非監視状態とが切り換えられて記憶手段が更新され、確認手段により、出口読取手段に読み取られたタグ識別情報に基づいて、記憶手段が参照されて、当該タグ識別情報により識別される自転車が監視状態であるか否かが判断され、警報手段により、確認手段によって当該タグ識別情報により識別される自転車が監視状態であると判断された場合に、所定の警報が行われるので、生体情報取得手段により人の生態情報が取得されて、当該生体情報に対応するタグ識別情報によって識別される自転車が監視状態となった場合には、当該人以外の者が当該自転車を駐輪場から出そうとすると警報が行われて、例えば、監視員が気づいて当該自転車を駐輪場から出すことを阻止することができることとなって、自転車の盗難をより効果的に防ぐことができる。
また、生体情報取得手段により生体情報が取得されることにより、当該生体情報に対応するタグ識別情報によって識別される自転車の監視状態と非監視状態とが切り換えられるので、例えば、キー等を用いずとも当該自転車の駐輪場への出し入れを制御することができ、使い勝手が良い。
【００１８】
請求項６に記載の発明によれば、請求項２〜５の何れか一項に記載の発明と同様の効果が得られることは勿論のこと、特に、駐輪場の入口に設けられる入口読取手段により、ＲＦＩＤタグからタグ識別情報が読み取られ、入口照合手段により、入口読取手段に読み取られたタグ識別情報と一致するタグ識別情報が記憶手段により記憶されているか否かが判断され、入口ゲート開閉装置により、入口に設けられた入口ゲートが開閉され、入口ゲート制御手段により、入口照合手段により、入口読取手段に読み取られたタグ識別情報と一致するタグ識別情報が記憶手段によって記憶されていると判断された場合に、入口ゲート開閉装置が制御されて、入口ゲートが開放状態とされ、入口読取手段に読み取られたタグ識別情報と一致するタグ識別情報が記憶手段によって記憶されていないと判断された場合に、入口ゲート開閉装置が制御されて、入口ゲートが閉鎖状態とされるので、当該駐輪場に契約しておらずＲＦＩＤタグを自転車に貼り付けていない者が当該自転車を駐輪場に入れるのを防ぐことができる。
【発明を実施するための最良の形態】
【００１９】
以下、図を参照して、本発明に係る自転車管理システムを実施するための最良の形態を詳細に説明する。
【００２０】
（第１の実施形態）
まず、本発明の第１の実施形態に係る自転車管理システム１００の構成について図１，図２を参照しながら説明する。本実施形態に係る自転車管理システム１００は、例えば、図１に示すように、駐輪場１１の入口１２に設けられる入口読取手段としての入口ＲＦＩＤリーダ１，入口ゲート部２，駐輪場１１の出口１３に設けられる出口読取手段としての出口ＲＦＩＤリーダ３，出口ゲート部４，駐輪場１１の人Ｍの出入口１４に設けられる出入口読取手段としての出入口ＲＦＩＤリーダ５，管理装置６等を備えて構成されている。
【００２１】
また、例えば、図１に示すように、駐輪場１１の入口１２及び出口１３を通って自転車Ｂが当該駐輪場１１に入出場できるようになっており、駐輪場１１の出入口１４を通って人Ｍが当該駐輪場１１に入出場できるようになっている。
【００２２】
また、本発明の第１の実施形態に係る自転車管理システム１００においては、駐輪場１１に駐輪することを登録された自転車Ｂに取り付けるためのＲＦＩＤタグＴと、当該自転車Ｂを所有する人Ｍが所持するＲＦＩＤカードＫとが発行されるようになっている。
【００２３】
ＲＦＩＤタグＴには、例えば、自転車Ｂを識別するための識別情報（タグ識別情報）が記憶されている。
【００２４】
ＲＦＩＤカードＫには、例えば、当該ＲＦＩＤタグＴに記憶されている識別情報と同一の識別情報（カード識別情報）が記憶されている。
【００２５】
入口ＲＦＩＤリーダ１は、例えば、非接触型ＲＦＩＤリーダ等を備えて構成されており、入口１２通過する自転車Ｂに取り付けられたＲＦＩＤタグＴに記憶されている識別情報を読み取る。
【００２６】
入口ゲート部２は、例えば、図２に示すように、入口ゲート２Ａ，入口ゲート開閉装置２Ｂ，入口警報装置２Ｃ等を備えて構成される。
【００２７】
入口ゲート開閉装置２Ｂは、例えば、後述するＣＰＵ７が後述する入口ゲート制御プログラム９Ｃを実行することにより制御されて、入口ゲート２Ａを開閉させる。
【００２８】
入口警報装置２Ｃは、例えば、ＣＰＵ７が後述する入口警報制御プログラム９Ｄを実行することにより制御されて、所定の警報を行う。
【００２９】
出口ＲＦＩＤリーダ３は、例えば、非接触型ＲＦＩＤリーダ等を備えて構成されており、出口１３を通過する自転車Ｂに取り付けられたＲＦＩＤタグＴに記憶されている識別情報を読み取る。
【００３０】
出口ゲート部４は、例えば、図２に示すように、出口ゲート４Ａ，出口ゲート開閉装置４Ｂ，出口警報装置４Ｃ等を備えて構成される。
【００３１】
出口ゲート開閉装置４Ｂは、例えば、後述するＣＰＵ７が後述する出口ゲート制御プログラム９Ｇを実行することにより制御されて、出口ゲート４Ａを開閉させる。
【００３２】
出口警報装置４Ｃは、例えば、ＣＰＵ７が後述する出口警報制御プログラム９Ｈを実行することにより制御されて、所定の警報を行う。
【００３３】
出入口ＲＦＩＤリーダ５は、例えば、非接触型ＲＦＩＤリーダ又は接触型ＲＦＩＤリーダ等を備えて構成され、出入口１４を通過する人Ｍが所持するＲＦＩＤカードＫに記憶されている識別情報を読み取る。
【００３４】
管理装置６は、例えば、図２に示すように、ＣＰＵ（Central  Processing  Unit）７，ＲＡＭ（Random  Access  Memory）８，記憶部９等を備えて構成され、入口ＲＦＩＤリーダ１，入口ゲート開閉装置２Ｂ，入口警報装置２Ｃ，出口ＲＦＩＤリーダ３，出口ゲート開閉装置４Ｂ，出口警報装置４Ｃ，出入口ＲＦＩＤリーダ５等と接続され、自転車管理システム１００の各部の制御を行う。
【００３５】
ＣＰＵ７は、記憶部９に格納された処理プログラム等を読み出して、ＲＡＭ８に展開して実行することにより、管理装置６全体の制御を行う。
【００３６】
ＲＡＭ８は、ＣＰＵ７により実行された処理プログラム等を、ＲＡＭ８内のプログラム格納領域に展開するとともに、入力データや上記処理プログラムが実行される際に生じる処理結果等をデータ格納領域に格納する。
【００３７】
記憶部９は、例えば、プログラムやデータ等が予め記憶されている記録媒体（図示せず）を有しており、この記録媒体は、例えば、半導体メモリ等で構成されている。また、記憶部９は、ＣＰＵ７が管理装置６全体を制御する機能を実現させるための各種データ，各種処理プログラム，これらプログラムの実行により処理されたデータ等を記憶する。より具体的には、記憶部９は、例えば、図２に示すように、監視状態データファイル９Ａ，入口照合プログラム９Ｂ，入口ゲート制御プログラム９Ｃ，入口警報制御プログラム９Ｄ，監視状態更新プログラム９Ｅ，確認プログラム９Ｆ，出口ゲート制御プログラム９Ｇ，出口警報制御プログラム９Ｈ等を格納している。
【００３８】
監視状態データファイル９Ａは、例えば、図３に示すように、自転車Ｂを識別するための識別情報と、当該自転車Ｂが監視状態か非監視状態かの情報と、自転車Ｂを所有する人Ｍの氏名，住所，電話番号，自転車Ｂの登録番号等の顧客情報とを対応づけて記憶している。記憶部９は、かかる監視状態データファイル９Ａを格納することにより、記憶手段として機能する。
【００３９】
入口照合プログラム９Ｂは、例えば、ＣＰＵ７に、入口ＲＦＩＤリーダ１によって読み取られた識別情報と一致する識別情報が監視状態データファイル９Ａに記憶されているか否かを判断する機能を実現させるプログラムである。ＣＰＵ７は、かかる入口照合プログラム９Ｂを実行することにより、入口照合手段として機能する。
【００４０】
入口ゲート制御プログラム９Ｃは、例えば、ＣＰＵ７に、入口照合プログラム９Ｂを実行することにより、入口ＲＦＩＤリーダ１によって読み取られた識別情報と一致する識別情報が監視状態データファイル９Ａに記憶されていると判断した場合に、入口ゲート開閉装置２Ｂを制御して、入口ゲート２Ａを開放状態とさせ、入口ＲＦＩＤリーダ１によって読み取られた識別情報と一致する識別情報が監視状態データファイル９Ａに記憶されていないと判断した場合に、入口ゲート開閉装置２Ｂを制御して、入口ゲート２Ａを閉鎖状態とさせる機能を実現させるプログラムである。ＣＰＵ７は、かかる入口ゲート制御プログラム９Ｃを実行することにより、入口ゲート制御手段として機能する。
【００４１】
入口警報制御プログラム９Ｄは、例えば、ＣＰＵ７に、入口照合プログラム９Ｂを実行することにより、入口ＲＦＩＤリーダ１によって読み取られた識別情報と一致する識別情報が監視状態データファイル９Ａに記憶されていないと判断した場合に、入口警報装置２Ｃを制御して、所定の警報を行わせる機能を実現させるプログラムである。
【００４２】
監視状態更新プログラム９Ｅは、例えば、ＣＰＵ７に、出入口ＲＦＩＤリーダ５によりＲＦＩＤカードＫから識別情報が読み取られた場合に、当該識別情報によって識別される自転車Ｂの監視状態と非監視状態とを切り換えて監視状態データファイル９Ａを更新する機能を実現させるプログラムである。より具体的には、監視状態更新プログラム９Ｅは、例えば、ＣＰＵ７に、出入口ＲＦＩＤリーダ５によりＲＦＩＤカードＫから識別情報が読み取られた場合に、監視状態データファイル９Ａを参照して、当該識別情報によって識別される自転車Ｂの状態が監視状態か非監視状態かを判断し、監視状態と非監視状態とを切り換えて当該監視状態データファイル９Ａを更新する機能を実現させるプログラムである。ＣＰＵ７は、かかる監視状態更新プログラム９Ｅを実行することにより、監視状態更新手段として機能する。
【００４３】
確認プログラム９Ｆは、例えば、ＣＰＵ７に、出口ＲＦＩＤリーダ３により出口１３を通過しようとする自転車ＢのＲＦＩＤタグＴから識別情報が読み取られた場合に、当該識別情報に基づいて監視状態データファイル９Ａを参照し、当該識別情報により識別される自転車Ｂが監視状態か否かを判断する機能を実現させるプログラムである。より具体的には、確認プログラム９Ｆは、例えば、ＣＰＵ７に、出口ＲＦＩＤリーダ３により出口１３を通過しようとする自転車ＢのＲＦＩＤタグＴから識別情報が読み取られたか否かを判断させ、出口ＲＦＩＤリーダ３により出口１３を通過しようとする自転車ＢのＲＦＩＤタグＴから識別情報が読み取られたと判断した場合に、当該識別情報に基づいて監視状態データファイル９Ａを参照し、当該識別情報により識別される自転車Ｂが監視状態か否かを判断する機能を実現させるプログラムである。ＣＰＵ７は、かかる確認プログラム９Ｆを実行することにより、確認手段として機能する。
【００４４】
出口ゲート制御プログラム９Ｇは、例えば、ＣＰＵ７に、確認プログラム９Ｆを実行することにより、出口ＲＦＩＤリーダ３により読み取られた識別情報により識別される自転車Ｂが監視状態であると判断した場合には、出口ゲート開閉装置４Ｂを制御して、出口ゲート４Ａを閉鎖状態とさせ、当該識別情報により識別される自転車Ｂが非監視状態であると判断した場合には、出口ゲート開閉装置４Ｂを制御して、出口ゲート４Ａを開放状態とさせる機能を実現させるプログラムである。ＣＰＵ７は、かかる出口ゲート制御プログラム９Ｇを実行することにより、出口ゲート制御制御手段として機能する。
【００４５】
出口警報制御プログラム９Ｈは、例えば、ＣＰＵ７に、確認プログラム９Ｆを実行することにより、出口ＲＦＩＤリーダ３により読み取られた識別情報により識別される自転車Ｂが監視状態であると判断した場合に、出口警報装置４Ｃを制御して、所定の警報を行わせる機能を実現させるプログラムである。ＣＰＵ７は、かかる出口警報制御プログラム９Ｈを実行することにより、出口警報装置４Ｃとともに、警報手段として機能する。
【００４６】
次に、上述のような構成の第１の実施形態に係る自転車管理システム１００の管理動作の一例について、図４に示すフローチャートを参照しながら説明する。
まず、入口ＲＦＩＤリーダ１により入口１２を通過する自転車Ｂに取り付けられたＲＦＩＤタグＴの識別情報が読み取られると（ステップＳ１）、ＣＰＵ７は、入口照合プログラム９Ｂを実行することにより、入口ＲＦＩＤリーダ１によって読み取られた識別情報と一致する識別情報が監視状態データファイル９Ａに記憶されているか否かを判断する（ステップＳ２）。
【００４７】
ステップＳ２において、ＣＰＵ７が、入口ＲＦＩＤリーダ１によって読み取られた識別情報と一致する識別情報が監視状態データファイル９Ａに記憶されていないと判断した場合には（ステップＳ２；Ｎｏ）、ＣＰＵ７は、入口ゲート制御プログラム９Ｃを実行することにより、入口ゲート開閉装置２Ｂを制御して、入口ゲート２Ａを閉鎖状態とさせるとともに、入口警報制御プログラム９Ｄを実行することにより、入口警報装置２Ｃを制御して、所定の警報を行わせる（ステップＳ３）。
【００４８】
ステップＳ２において、ＣＰＵ７が、入口ＲＦＩＤリーダ１によって読み取られた識別情報と一致する識別情報が監視状態データファイル９Ａに記憶されていると判断した場合には（ステップＳ２；Ｙｅｓ）、ＣＰＵ７は、入口ゲート制御プログラム９Ｃを実行することにより、入口ゲート開閉装置２Ｂを制御して、入口ゲート２Ａを開放状態とさせる（ステップＳ４）。
【００４９】
次に、ＣＰＵ７は、監視状態更新プログラム９Ｅを実行することにより、出入口ＲＦＩＤリーダ５によりＲＦＩＤカードＫから識別情報が読み取られたか否かを判断する（ステップＳ５）。
【００５０】
ステップＳ５において、ＣＰＵ７が、出入口ＲＦＩＤリーダ５によりＲＦＩＤカードＫから識別情報が読み取られなかったと判断した場合には（ステップＳ５；Ｎｏ）、ステップＳ７へ進む。
ステップＳ５において、ＣＰＵ７が、出入口ＲＦＩＤリーダ５によりＲＦＩＤカードＫから識別情報が読み取られたと判断した場合には（ステップＳ５；Ｙｅｓ）、ＣＰＵ７は、監視状態更新プログラム９Ｅの実行に基づいて、監視状態データファイル９Ａを参照して、当該識別情報によって識別される自転車Ｂの監視状態と非監視状態とを切り換えて当該監視状態データファイル９Ａを更新する（ステップＳ６）。
【００５１】
次に、ＣＰＵ７は、確認プログラム９Ｆを実行することにより、出口ＲＦＩＤリーダ３により出口１３を通過しようとする自転車ＢのＲＦＩＤタグＴから識別情報が読み取られたか否かを判断する（ステップＳ７）。
【００５２】
ステップ７において、ＣＰＵ７が、出口ＲＦＩＤリーダ３により出口１３を通過しようとする自転車ＢのＲＦＩＤタグＴから識別情報が読み取られなかったと判断した場合には（ステップＳ７；Ｎｏ）、ステップＳ５に戻る。
ステップ７において、ＣＰＵ７が、出口ＲＦＩＤリーダ３により出口１３を通過しようとする自転車ＢのＲＦＩＤタグＴから識別情報が読み取られたと判断した場合には（ステップＳ７；Ｙｅｓ）、ＣＰＵ７は、確認プログラム９Ｆの実行に基づいて、当該識別情報に基づいて監視状態データファイル９Ａを参照し、当該識別情報により識別される自転車Ｂが監視状態か否かを判断する（ステップＳ８）。
【００５３】
ステップＳ８において、ＣＰＵ７が、当該自転車Ｂが監視状態であると判断した場合には（ステップＳ８；Ｙｅｓ）、ＣＰＵ７は、出口ゲート制御プログラム９Ｇを実行することにより、出口ゲート開閉装置４Ｂを制御して、出口ゲート４Ａを閉鎖状態とさせるとともに、出口警報制御プログラム９Ｈを実行することにより、出口警報装置４Ｃを制御して、所定の警報を行わせる（ステップＳ９）。
ステップＳ８において、ＣＰＵ７が、当該自転車Ｂが非監視状態であると判断した場合には（ステップＳ８；Ｎｏ）、ＣＰＵ７は、出口ゲート制御プログラム９Ｇを実行することにより、出口ゲート開閉装置４Ｂを制御して、出口ゲート４Ａを開放状態とさせ（ステップＳ１０）、本処理を終了する。
【００５４】
以上に説明した本発明の第１の実施形態に係る自転車管理システム１００によれば、自転車Ｂに取り付けられたＲＦＩＤタグＴにより、自転車Ｂを識別するための識別情報が記憶され、人Ｍに所持されるＲＦＩＤカードＫにより、ＲＦＩＤタグＴの識別情報と同一の識別情報が記憶され、監視状態データファイル９Ａにより、識別情報と、当該識別情報によって識別される自転車Ｂが監視状態か非監視状態かの情報とが記憶され、駐輪場１１の出口１３に設けられる出口ＲＦＩＤリーダ３により、ＲＦＩＤタグＴから識別情報が読み取られ、人Ｍの出入口１４に設けられる出入口ＲＦＩＤリーダ５により、人Ｍが所持するＲＦＩＤカードＫから識別情報が読み取られ、ＣＰＵ７が監視状態更新プログラム９Ｅを実行することにより、出入口ＲＦＩＤリーダ５によってＲＦＩＤカードＫから識別情報が読み取られた場合に、当該識別情報によって識別される自転車Ｂの監視状態と非監視状態とが切り換えられて監視状態データファイル９Ａが更新され、出口ゲート開閉装置４Ｂにより、出口１３に設けられた出口ゲート４Ａが開閉され、ＣＰＵ７が確認プログラム９Ｆを実行することにより、出口ＲＦＩＤリーダ３に読み取られた識別情報に基づいて、監視状態データファイル９Ａが参照されて、当該識別情報により識別される自転車Ｂが監視状態であるか否かが判断され、ＣＰＵ７が出口ゲート制御プログラム９Ｇを実行することにより、確認プログラム９Ｆを実行することによって当該識別情報により識別される自転車Ｂが、監視状態であると判断された場合に、出口ゲート開閉装置４Ｂが制御されて、出口ゲート４Ａが閉鎖状態とされ、非監視状態であると判断された場合に、出口ゲート開閉装置４Ｂが制御されて、出口ゲート４Ａが開放状態とされるので、出入口ＲＦＩＤリーダ５によりＲＦＩＤカードＫから識別情報が読み取られて、当該識別情報によって識別される自転車Ｂが監視状態となった場合には、当該ＲＦＩＤカードＫを所持する者以外の者は当該自転車Ｂを駐輪場１１から出すことができなくなることとなって、自転車Ｂの盗難をより効果的に防ぐことができる。
また、出入口ＲＦＩＤリーダ５によりＲＦＩＤカードＫから識別情報が読み取られなかった場合には、当該識別情報によって識別される自転車Ｂが監視状態とはされないので、例えば、万が一、利用者がＲＦＩＤカードＫを忘れてしまった場合でも、当該自転車Ｂを駐輪場１１に出し入れすることができ、使い勝手が良い。
また、例えば、悪戯により自転車ＢからＲＦＩＤタグＴが剥がされてしまった場合でも、ＲＦＩＤカードＫを提示することにより、当該駐輪場１１に当該自転車Ｂを駐輪することができる。
【００５５】
また、ＣＰＵ７が出口警報制御プログラム９Ｈを実行することにより、確認プログラム９Ｆを実行することによって識別情報により識別される自転車Ｂが監視状態である場合に、所定の警報が行われるので、出入口ＲＦＩＤリーダ５によりＲＦＩＤカードＫから識別情報が読み取られて、当該識別情報によって識別される自転車Ｂが監視状態となった場合には、当該ＲＦＩＤカードＫを所持する者以外の者が当該自転車Ｂを駐輪場１１から出そうとすると警報が行われて、例えば、監視員が気づいて当該自転車Ｂを駐輪場１１から出すことを阻止することができることとなって、自転車Ｂの盗難をより効果的に防ぐことができる。
【００５６】
また、駐輪場１１の入口１２に設けられる入口ＲＦＩＤリーダ１により、ＲＦＩＤタグＴから識別情報が読み取られ、ＣＰＵ７が入口照合プログラム９Ｂを実行することにより、入口ＲＦＩＤリーダ１に読み取られた識別情報と一致する識別情報が監視状態データファイル９Ａにより記憶されているか否かが判断され、入口ゲート開閉装置２Ｂにより、入口１２に設けられた入口ゲート２Ａが開閉され、ＣＰＵ７が入口ゲート制御プログラム９Ｃを実行することにより、入口照合プログラム９Ｂを実行することによって、入口ＲＦＩＤリーダ１に読み取られた識別情報と一致する識別情報が監視状態データファイル９Ａによって記憶されていると判断された場合に、入口ゲート開閉装置２Ｂが制御されて、入口ゲート２Ａが開放状態とされ、入口ＲＦＩＤリーダ１に読み取られた識別情報と一致する識別情報が監視状態データファイル９Ａによって記憶されていないと判断された場合に、入口ゲート開閉装置２Ｂが制御されて、入口ゲート２Ａが閉鎖状態とされるので、当該駐輪場１１に契約しておらずＲＦＩＤタグＴを自転車Ｂに貼り付けていない者が当該自転車Ｂを駐輪場１１に入れるのを防ぐことができる。
【００５７】
（第２の実施形態）
本発明の第２の実施形態に係る自転車管理システム２００は、例えば、図５，図６に示すように、出入口１４に備えられる指紋読取部１０及び記憶部９０の構成のみが第１の実施形態に係る自転車管理システム１００と異なるので、同一の構成については同一の符号を付すとともに、その説明を省略する。
【００５８】
また、本発明の第２の実施形態に係る自転車管理システム２００においては、駐輪場１１に駐輪することを登録された自転車Ｂに取り付けるためのＲＦＩＤタグＴが発行されるようになっている。
【００５９】
指紋読取部１０は、例えば、出入口１４を通過する人Ｍの生体情報としての指紋情報を読み取り、生体情報取得手段として機能する。
【００６０】
記憶部９０は、例えば、プログラムやデータ等が予め記憶されている記録媒体（図示せず）を有しており、この記録媒体は、例えば、半導体メモリ等で構成されている。また、記憶部９０は、ＣＰＵ７が管理装置６全体を制御する機能を実現させるための各種データ，各種処理プログラム，これらプログラムの実行により処理されたデータ等を記憶する。より具体的には、記憶部９０は、例えば、図６に示すように、監視状態データファイル９０Ａ，入口照合プログラム９Ｂ，入口ゲート制御プログラム９Ｃ，入口警報制御プログラム９Ｄ，監視状態更新プログラム９０Ｅ，確認プログラム９Ｆ，出口ゲート制御プログラム９Ｇ，出口警報制御プログラム９Ｈ等を格納している。
【００６１】
監視状態データファイル９０Ａは、例えば、図７に示すように、自転車Ｂを識別するための識別情報と、当該自転車Ｂが監視状態か非監視状態かの情報と、自転車Ｂを所有する人Ｍの氏名，住所，電話番号，自転車Ｂの登録番号等の顧客情報と、当該人Ｍの指紋情報とを対応づけて記憶している。記憶部９は、かかる監視状態データファイル９０Ａを格納することにより、記憶手段及び生体情報記憶手段として機能する。
【００６２】
監視状態更新プログラム９０Ｅは、例えば、ＣＰＵ７に、指紋読取部１０により出入口１４を通過する人Ｍの指紋情報が読み取られた場合に、当該指紋情報と対応付けられた識別情報によって識別される自転車Ｂの監視状態と非監視状態とを切り換えて監視状態データファイル９０Ａを更新する機能を実現させるプログラムである。より具体的には、監視状態更新プログラム９０Ｅは、例えば、ＣＰＵ７に、指紋読取部１０により指紋情報が読み取られた場合に、監視状態データファイル９０Ａを参照して、当該指紋情報と対応する識別情報によって識別される自転車Ｂの状態が監視状態か非監視状態かを判断し、監視状態と非監視状態とを切り換えて当該監視状態データファイル９０Ａを更新する機能を実現させるプログラムである。ＣＰＵ７は、かかる監視状態更新プログラム９０Ｅを実行することにより、監視状態更新手段として機能する。
【００６３】
次に、上述のような構成の第２の実施形態に係る自転車管理システム２００の管理動作の一例について、図８に示すフローチャートを参照しながら説明する。
まず、入口ＲＦＩＤリーダ１により入口１２を通過する自転車Ｂに取り付けられたＲＦＩＤタグＴの識別情報が読み取られると（ステップＳ１０１）、ＣＰＵ７は、入口照合プログラム９Ｂを実行することにより、入口ＲＦＩＤリーダ１によって読み取られた識別情報と一致する識別情報が監視状態データファイル９０Ａに記憶されているか否かを判断する（ステップＳ１０２）。
【００６４】
ステップＳ１０２において、ＣＰＵ７が、入口ＲＦＩＤリーダ１によって読み取られた識別情報と一致する識別情報が監視状態データファイル９０Ａに記憶されていないと判断した場合には（ステップＳ１０２；Ｎｏ）、ＣＰＵ７は、入口ゲート制御プログラム９Ｃを実行することにより、入口ゲート開閉装置２Ｂを制御して、入口ゲート２Ａを閉鎖状態とさせるとともに、入口警報制御プログラム９Ｄを実行することにより、入口警報装置２Ｃを制御して、所定の警報を行わせる（ステップＳ１０３）。
【００６５】
ステップＳ１０２において、ＣＰＵ７が、入口ＲＦＩＤリーダ１によって読み取られた識別情報と一致する識別情報が監視状態データファイル９０Ａに記憶されていると判断した場合には（ステップＳ１０２；Ｙｅｓ）、ＣＰＵ７は、入口ゲート制御プログラム９Ｃを実行することにより、入口ゲート開閉装置２Ｂを制御して、入口ゲート２Ａを開放状態とさせる（ステップＳ１０４）。
【００６６】
次に、ＣＰＵ７は、監視状態更新プログラム９０Ｅを実行することにより、指紋読取部１０により出入口１４を通過する人Ｍから指紋情報が読み取られたか否かを判断する（ステップＳ１０５）。
【００６７】
ステップＳ１０５において、ＣＰＵ７が、指紋読取部１０により指紋情報が読み取られなかったと判断した場合には（ステップＳ１０５；Ｎｏ）、ステップＳ１０７へ進む。
ステップＳ１０５において、ＣＰＵ７が、指紋読取部１０により指紋情報が読み取られたと判断した場合には（ステップＳ１０５；Ｙｅｓ）、ＣＰＵ７は、監視状態更新プログラム９０Ｅの実行に基づいて、監視状態データファイル９０Ａを参照して、当該指紋情報に対応する識別情報によって識別される自転車Ｂの監視状態と非監視状態とを切り換えて当該監視状態データファイル９０Ａを更新する（ステップＳ１０６）。
【００６８】
次に、ＣＰＵ７は、確認プログラム９Ｆを実行することにより、出口ＲＦＩＤリーダ３により出口１３を通過しようとする自転車ＢのＲＦＩＤタグＴから識別情報が読み取られたか否かを判断する（ステップＳ１０７）。
【００６９】
ステップＳ１０７において、ＣＰＵ７が、出口ＲＦＩＤリーダ３により出口１３を通過しようとする自転車ＢのＲＦＩＤタグＴから識別情報が読み取られなかったと判断した場合には（ステップＳ１０７；Ｎｏ）、ステップＳ１０５に戻る。
ステップＳ１０７において、ＣＰＵ７が、出口ＲＦＩＤリーダ３により出口１３を通過しようとする自転車ＢのＲＦＩＤタグＴから識別情報が読み取られたと判断した場合には（ステップＳ１０７；Ｙｅｓ）、ＣＰＵ７は、確認プログラム９Ｆの実行に基づいて、当該識別情報に基づいて監視状態データファイル９０Ａを参照し、当該識別情報により識別される自転車Ｂが監視状態か否かを判断する（ステップＳ１０８）。
【００７０】
ステップＳ１０８において、ＣＰＵ７が、当該自転車Ｂが監視状態であると判断した場合には（ステップＳ１０８；Ｙｅｓ）、ＣＰＵ７は、出口ゲート制御プログラム９Ｇを実行することにより、出口ゲート開閉装置４Ｂを制御して、出口ゲート４Ａを閉鎖状態とさせるとともに、出口警報制御プログラム９Ｈを実行することにより、出口警報装置４Ｃを制御して、所定の警報を行わせる（ステップＳ１０９）。
ステップＳ１０８において、ＣＰＵ７が、当該自転車Ｂが非監視状態であると判断した場合には（ステップＳ１０８；Ｎｏ）、ＣＰＵ７は、出口ゲート制御プログラム９Ｇを実行することにより、出口ゲート開閉装置４Ｂを制御して、出口ゲート４Ａを開放状態とさせ（ステップＳ１１０）、本処理を終了する。
【００７１】
以上に説明した本発明の第２の実施形態に係る自転車管理システム２００によれば、自転車Ｂに取り付けられたＲＦＩＤタグＴにより、自転車Ｂを識別するための識別情報が記憶され、監視状態データファイル９０Ａにより、識別情報と、当該識別情報によって識別される自転車Ｂが監視状態か非監視状態かの情報とが記憶され、監視状態データファイル９０Ａにより、自転車Ｂの識別情報と人Ｍの指紋情報とが対応づけて記憶され、駐輪場１１の出口１３に設けられる出口ＲＦＩＤリーダ３により、ＲＦＩＤタグＴから識別情報が読み取られ、人Ｍの出入口１４に設けられる指紋読取部１０により、人Ｍの指紋情報が読み取られ、ＣＰＵ７が監視状態更新プログラム９０Ｅを実行することにより、指紋読取部１０によって指紋情報が読み取られた場合に、当該指紋情報と対応する当該識別情報によって識別される自転車Ｂの監視状態と非監視状態とが切り換えられて監視状態データファイル９０Ａが更新され、出口ゲート開閉装置４Ｂにより、出口１３に設けられた出口ゲート４Ａが開閉され、ＣＰＵ７が確認プログラム９Ｆを実行することにより、出口ＲＦＩＤリーダ３に読み取られた識別情報に基づいて、監視状態データファイル９０Ａが参照されて、当該識別情報により識別される自転車Ｂが監視状態であるか否かが判断され、ＣＰＵ７が出口ゲート制御プログラム９Ｇを実行することにより、確認プログラム９Ｆを実行することによって当該識別情報により識別される自転車Ｂが、監視状態であると判断された場合に、出口ゲート開閉装置４Ｂが制御されて、出口ゲート４Ａが閉鎖状態とされ、非監視状態であると判断された場合に、出口ゲート開閉装置４Ｂが制御されて、出口ゲート４Ａが開放状態とされるので、指紋読取部１０により人Ｍの指紋情報が読み取られて、当該指紋情報に対応する識別情報によって識別される自転車Ｂが監視状態となった場合には、当該人Ｍ以外の者は当該自転車Ｂを駐輪場１１から出すことができなくなることとなって、自転車Ｂの盗難をより効果的に防ぐことができる。
また、指紋読取部１０により人Ｍの指紋情報が取得されることにより、当該指紋情報に対応する識別情報によって識別される自転車Ｂの監視状態と非監視状態とが切り換えられるので、例えば、キー等を用いずとも当該自転車Ｂの駐輪場１１への出し入れを制御することができ、使い勝手が良い。
【００７２】
また、ＣＰＵ７が出口警報制御プログラム９Ｈを実行することにより、確認プログラム９Ｆを実行することによって識別情報により識別される自転車Ｂが監視状態である場合に、所定の警報が行われるので、指紋読取部１０により人Ｍの指紋情報が読み取られて、当該指紋情報に対応する識別情報によって識別される自転車Ｂが監視状態となった場合には、当該人Ｍ以外の者が当該自転車Ｂを駐輪場１１から出そうとすると警報が行われて、例えば、監視員が気づいて当該自転車Ｂを駐輪場１１から出すことを阻止することができることとなって、自転車Ｂの盗難をより効果的に防ぐことができる。
【００７３】
また、駐輪場１１の入口１２に設けられる入口ＲＦＩＤリーダ１により、ＲＦＩＤタグＴから識別情報が読み取られ、ＣＰＵ７が入口照合プログラム９Ｂを実行することにより、入口ＲＦＩＤリーダ１に読み取られた識別情報と一致する識別情報が監視状態データファイル９０Ａにより記憶されているか否かが判断され、入口ゲート開閉装置２Ｂにより、入口１２に設けられた入口ゲート２Ａが開閉され、ＣＰＵ７が入口ゲート制御プログラム９Ｃを実行することにより、入口照合プログラム９Ｂを実行することによって、入口ＲＦＩＤリーダ１に読み取られた識別情報と一致する識別情報が監視状態データファイル９０Ａによって記憶されていると判断された場合に、入口ゲート開閉装置２Ｂが制御されて、入口ゲート２Ａが開放状態とされ、入口ＲＦＩＤリーダ１に読み取られた識別情報と一致する識別情報が監視状態データファイル９０Ａによって記憶されていないと判断された場合に、入口ゲート開閉装置２Ｂが制御されて、入口ゲート２Ａが閉鎖状態とされるので、当該駐輪場１１に契約しておらずＲＦＩＤタグＴを自転車Ｂに貼り付けていない者が当該自転車Ｂを駐輪場１１に入れるのを防ぐことができる。
【００７４】
なお、駐輪場１１の入口１２及び出口１３に警備員等を配置する場合には、必ずしも、入口ゲート２Ａ，入口ゲート開閉装置２Ｂ，入口ゲート制御プログラム９Ｃ及び出口ゲート４Ａ，出口ゲート開閉装置４Ｂ，出口ゲート制御プログラム９Ｇは備えられなくてもよい。その場合には、入口警報装置２Ｃ及び出口警報装置４Ｃの警報に基づいて警備員により自転車Ｂの入出場が禁止されればよい。
また、入口ゲート２Ａ，入口ゲート開閉装置２Ｂ，入口ゲート制御プログラム９Ｃ及び出口ゲート４Ａ，出口ゲート開閉装置４Ｂ，出口ゲート制御プログラム９Ｇが備えられる場合には、入口警報装置２Ｃ及び出口警報装置４Ｃは備えられていなくともよい。
また、入口ゲート部２，入口ゲート制御プログラム９Ｃ，入口警報装置２Ｃ，入口警報制御プログラム９Ｄは必須ではない。
また、ＲＦＩＤタグＴに記憶されているタグ識別情報とＲＦＩＤカードＫに記憶されているカード識別情報とは必ずしも同一である必要はなく、対応付けられていれば、異なる識別情報であってもよい。
また、本実施形態では、生体情報として指紋情報を挙げたが、これに限られるものではなく、目の虹彩情報，手の静脈情報，顔の特徴点に関わる情報等であってもよい。
また、入口１２及び出口１３にＲＦＩＤカードから識別情報を読み取るＲＦＩＤリーダを備えてもよい。このように構成することにより、例えば、悪戯などにより、自転車ＢからＲＦＩＤタグＴが剥がされてしまった場合でも、入口１２及び出口１３において、ＲＦＩＤカードＫから識別情報が読み取られることとなって、当該駐輪場１１に当該自転車Ｂを出し入れすることができるとともに、新たなＲＦＩＤタグＴを発行することも可能となる。
また、自転車Ｂの入口１２と、自転車Ｂの出口１３と、人Ｍの出入口１４とが一つの出入口として駐輪場１１に備えられてもよい。
【図面の簡単な説明】
【００７５】
【図１】本発明の第１の実施形態に係る自転車管理システムの概略構成を示す図である。
【図２】本発明の第１の実施形態に係る自転車管理システムの構成を示すブロック図である。
【図３】本発明の第１の実施形態に係る監視状態データファイルの一例を示すデータテーブルである。
【図４】本発明の第１の実施形態に係る自転車管理システムにおける管理動作の一例を説明するフローチャートである。
【図５】本発明の第２の実施形態に係る自転車管理システムの概略構成を示す図である。
【図６】本発明の第２の実施形態に係る自転車管理システムの構成を示すブロック図である。
【図７】本発明の第２の実施形態に係る監視状態データファイルの一例を示すデータテーブルである。
【図８】本発明の第２の実施形態に係る自転車管理システムにおける管理動作の一例を説明するフローチャートである。
【符号の説明】
【００７６】
１  入口ＲＦＩＤリーダ（入口読取手段）
２Ａ  入口ゲート
２Ｂ  入口ゲート開閉装置
３  出口ＲＦＩＤリーダ（出口読取手段）
４Ａ  出口ゲート
４Ｂ  出口ゲート開閉装置
４Ｃ  出口警報装置（警報手段）
５  出入口ＲＦＩＤリーダ（出入口読取手段）
７  ＣＰＵ（入口照合手段，入口ゲート制御手段，監視状態更新手段，確認手段，出口ゲート制御手段，警報手段）
９，９０  記憶部（記憶手段，生体情報記憶手段）
９Ａ  監視状態データファイル（記憶手段）
９Ｂ  入口照合プログラム（入口照合手段）
９Ｃ  入口ゲート制御プログラム（入口ゲート制御手段）
９Ｅ，９０Ｅ  監視状態更新プログラム（監視状態更新手段）
９Ｆ  確認プログラム（確認手段）
９Ｇ  出口ゲート制御プログラム（出口ゲート制御手段）
９Ｈ  出口警報制御プログラム（警報手段）
９０Ａ  監視状態データファイル（記憶手段，生体情報記憶手段）
１０  指紋読取部（生体情報取得手段）
１１  駐輪場
１２  入口
１３  出口
１４  出入口
１００，２００  自転車管理システム
Ｂ  自転車
Ｋ  ＲＦＩＤカード
Ｍ  人
Ｔ  ＲＦＩＤタグ
【図１】
2008033508.tif 000003
【図２】
2008033508.tif 000004
【図３】
2008033508.tif 000005
【図４】
2008033508.tif 000006
【図５】
2008033508.tif 000007
【図６】
2008033508.tif 000008
【図７】
2008033508.tif 000009
【図８】
2008033508.tif 000010